(57)【要約】【課題】口腔内における種々の試験や実態調査等の精度を高めるのに有効な、被検部位を決定するための口腔内被検部位決定方法及び口腔内被検部位決定のための貼付用シートに関する。【解決手段】次の成分（Ａ）、（Ｂ）及び（Ｃ）：  （Ａ）水溶性又は水分散性ポリマー  乾燥質量で５質量％以上８０質量％以下、  （Ｂ）可塑剤  乾燥質量で５質量％以上４０質量％以下、及び  （Ｃ）水を含有する本体シートを含み、かつ少なくとも一部に被検部位識別のための模様が印刷されてなる貼付用シートを用いて、口腔内における被検部位を決定する口腔内被検部位決定方法。【選択図】図１
2015123332.tif 000002
【特許請求の範囲】
【請求項１】
次の成分（Ａ）、（Ｂ）及び（Ｃ）：
（Ａ）水溶性又は水分散性ポリマー  乾燥質量で５質量％以上８０質量％以下、
（Ｂ）可塑剤  乾燥質量で５質量％以上４０質量％以下、及び
（Ｃ）水
を含有する本体シートを含み、かつ少なくとも一部に被検部位識別のための模様が印刷されてなる貼付用シートを用いて、口腔内における被検部位を決定する口腔内被検部位決定方法。
【請求項２】
成分（Ａ）が、プルラン又はその誘導体、寒天、並びにヒドロキシエチルセルロース又はその誘導体から選ばれる１種又は２種以上である請求項１に記載の口腔内被検部位決定方法。
【請求項３】
被検部位が、舌又は歯に存在する請求項１又は２に記載の口腔内被検部位決定方法。
【請求項４】
被検部位識別のための模様が、目盛、線、丸、及び格子から選ばれる１種又は２種以上から構成されてなる請求項１〜３のいずれか１項に記載の口腔内被検部位決定方法。
【請求項５】
貼付用シートが、さらに被検部位識別のための模様が印刷されてなる印刷保持シートを含む請求項１〜４のいずれか１項に記載の口腔内被検部位決定方法。
【請求項６】
本体シートにおいて、２５℃の水１００ｇに０．１ｇ溶解させるのに要する時間が、０．１分以上５分以下である請求項１〜５のいずれか１項に記載の口腔内被検部位決定方法。
【請求項７】
次の成分（Ａ）、（Ｂ）及び（Ｃ）：
（Ａ）水溶性又は水分散性ポリマー  乾燥質量で５質量％以上８０質量％以下、
（Ｂ）可塑剤  乾燥質量で５質量％以上４０質量％以下、及び
（Ｃ）水
を各々含有する本体シートＸ及び本体シートＹを含み、
本体シートＸを２５℃の水１００ｇに０．１ｇ溶解させるのに要する時間と、本体シートＹを２５℃の水１００ｇに０．１ｇ溶解させるのに要する時間との比（シートＸ溶解時間／シートＹ溶解時間）が０．１以上１以下であり、かつ
少なくとも一部に被検部位識別のための模様が印刷されてなる口腔内被検部位決定のための貼付用シート。
【発明の詳細な説明】
【技術分野】
【０００１】
本発明は、口腔内被検部位決定方法及び口腔内被検部位決定のための貼付用シートに関する。
【背景技術】
【０００２】
従来より、歯磨剤等の製剤の効果を確認にするために、ヒト使用試験や口腔内の実態調査等が行われており、口腔内で舌苔を採取したり、歯及び歯肉の着色状態等を確認したりすることが必要とされており、種々の方法が開発されている。
例えば、特許文献１には、舌苔を採取するにあたり、不織布を所定面積の採取面に備え、定量的な回転運動を行う機器を被検部位に押し当てる方法が開示されている。また、特許文献２には、歯の着色や色の情報を収集するにあたり、カメラに搭載された複数のＬＥＤを発光させながら被検部位である歯の撮影を行い、歯科用ファイリングシステムで画像処理を行う方法が開示されている。さらに、特許文献３には、歯肉等を含む口腔軟組織の情報を収集するにあたり、カメラで撮影した被検部位の画像を取り込み、客観的測定値を得て、色値等の情報を収集する方法が開示されている。
【先行技術文献】
【特許文献】
【０００３】
【特許文献１】特開２００３−３３４０５９号公報
【特許文献２】国際公開第２００５／０７１３７２号公報
【特許文献３】特表２００９−５４３６５４号公報
【発明の概要】
【発明が解決しようとする課題】
【０００４】
しかしながら、上記いずれの特許文献に記載の方法を採用するにしても、舌苔の採取や歯の状態調査等、同一の被検部位において試料の収集又は写真等のデータの収集を繰り返し行う必要があるものの、例えば試験等の度に被検部位が数ｍｍズレるだけで収集するデータにバラツキが生じるおそれがあり、試験等自体の精度を高めることが困難となる。そのため、いずれの方法を用いて試験を行うにあたっては、適切に被検部位を決定できる何らかの手段が要求されるが、未だ十分な検討すらなされていない。
【０００５】
したがって、本発明は、口腔内における種々の試験や実態調査等の精度を高めるのに有効な、被検部位を決定するための口腔内被検部位決定方法及び口腔内被検部位決定のための貼付用シートに関する。
【課題を解決するための手段】
【０００６】
そこで本発明者らは、種々検討したところ、特定の成分を含有する本体シートを含む貼付用シートを用いて口腔内における被検部位を決定することにより、口腔内における種々の試験や実態調査等の精度を高めることができることを見出し、本発明を完成させるに至った。
【０００７】
すなわち、本発明は、次の成分（Ａ）、（Ｂ）及び（Ｃ）：
（Ａ）水溶性又は水分散性ポリマー  乾燥質量で５質量％以上８０質量％以下、
（Ｂ）可塑剤  乾燥質量で５質量％以上４０質量％以下、及び
（Ｃ）水
を含有する本体シートを含み、かつ少なくとも一部に被検部位識別のための模様が印刷されてなる貼付用シートを用いて、口腔内における被検部位を決定する口腔内被検部位決定方法を提供するものである。
【０００８】
また、本発明は、次の成分（Ａ）、（Ｂ）及び（Ｃ）：
（Ａ）水溶性又は水分散性ポリマー  乾燥質量で５質量％以上８０質量％以下、
（Ｂ）可塑剤  乾燥質量で５質量％以上４０質量％以下、及び
（Ｃ）水
を各々含有する本体シートＸ及び本体シートＹを含み、
本体シートＸを２５℃の水１００ｇに０．１ｇ溶解させるのに要する時間と、本体シートＹを２５℃の水１００ｇに０．１ｇ溶解させるのに要する時間との比（シートＸ溶解時間／シートＹ溶解時間）が０．１以上１．０以下であり、かつ
少なくとも一部に被検部位識別のための模様が印刷されてなる口腔内被検部位決定のための貼付用シートを提供するものである。
【発明の効果】
【０００９】
本発明によれば、口腔内の所望の部位に貼付するだけで、被検部位識別のための模様によって被検部位を容易に決定できる貼付用シートを用いるので、口腔内における種々の試験や実態調査等の精度を高めるのに有効であるだけでなく、高い安全性をも有し、舌や歯等の口腔内における生体部位にも過度な影響を与えることなく、試験や実態調査等を行うことができる。
【図面の簡単な説明】
【００１０】
【図１】実施例１で得られた貼付用シートを用い、舌における被検部位を決定する方法を図示した模式図である。
【発明を実施するための形態】
【００１１】
以下、本発明について詳細に説明する。
本発明の口腔内被検部位決定方法は、次の成分（Ａ）、（Ｂ）及び（Ｃ）：
（Ａ）水溶性又は水分散性ポリマー  乾燥質量で５質量％以上８０質量％以下、
（Ｂ）可塑剤  乾燥質量で５質量％以上４０質量％以下、及び
（Ｃ）水
を含有する本体シートを含み、かつ少なくとも一部に被検部位識別のための模様が印刷されてなる貼付用シートを用いて、口腔内における被検部位を決定する方法である。かかる決定方法を用いることにより、口腔内における種々の試験や実態調査等（以下、「試験等」ともいう）の精度を高めることができる。
【００１２】
本発明で用いる貼付用シートに含まれる本体シートは、成分（Ａ）の水溶性又は水分散性ポリマーを乾燥質量で５質量％以上８０質量％以下、成分（Ｂ）の可塑剤を乾燥質量で５質量％以上４０質量％以下、及び成分（Ｃ）の水を含有する。
【００１３】
本体シートに含有される成分（Ａ）は、水溶性又は水分散性ポリマーである。これにより、口腔内の舌や歯等の所望の生体部位に貼付した際、口腔内に介在する水分によって貼付用シートを速やかに溶解させることができ、生体部位にも過度な影響を与えることなく、口腔内における試験等を遂行することが可能となる。
【００１４】
かかる成分（Ａ）としては、具体的には、例えば、プルラン及び／プルラン誘導体、寒天、カラヤガム、キサンタンガム、グアールガム、アラビアゴムトラガカント、カラギーナン、カラギーナン、ローカストビーンガム、ジェランガム、カシアガム、タラガム、タマリンドガム、サイリウムシードガム、アゾトバクタービネランジーガム、ファーセレラン、ペクチン、コンニャクマンナン、カードラン、大豆タンパク、ゼイン、カゼイン、デンプン、デンプン誘導体、及びセルロース誘導体；
ヒドロキシエチルセルロース、及びヒドロキシプロピルメチルセルロース、ヒドロキシプロピルセルロース等のヒドロキシエチルセルロース誘導体；
ポリ（ビニルピロリドン）−アルキルビニルエーテル／無水マレイン酸コポリマー、ポリ（ビニルピロリドン）−アルキルビニルエーテル／マレイン酸コポリマー、ポリ（ビニルピロリドン）−アルキルビニルエーテル／マレイン酸コポリマー、及びこれらのアルカリ金属塩又はアミン塩；
ポリ（ビニルピロリドン）−少なくとも部分的に架橋結合したアルキルビニルエーテル／無水マレイン酸コポリマー、ポリ（ビニルピロリドン）−ビニルアセテートコポリマー、ポリ（ビニルピロリドン）−ポリウレタンインターポリマー、ポリ（ビニルピロリドン）−キトサン、ポリ（ビニルピロリドン）−ポリ（アクリル酸）、ポリ（ビニルピロリドン）−ポリ（ビニルアルコール）、ポリ（ビニルピロリドン）−ポリ（ビニルアルコール−ｇ−エチレングリコール）コポリマー、ポリ（ビニルピロリドン）−セルロース誘導体、ポリ（ビニルピロリドン）−ヒドロキシ−プロピル−メチルセルロース、ポリ（ビニルピロリドン）−ヒドロキシ−エチルセルロース、ポリ（ビニルピロリドン）−ヒドロキシ−プロピルセルロース、ポリ（ビニルピロリドン）−ポリ（エチレンオキシド）、ポリ（ビニルピロリドン）−ポリ（プロピレンオキシド）、ポリ（ビニルピロリドン）−ポリクオタリウム（Polyquaterium）−１１、ポリ（ビニルピロリドン）−ポリクオタリウム−３９、ポリ（ビニルピロリドン）−ポロキサマー、ポリ（ビニルピロリドン）−カルボマー、ポリ（ビニルピロリドン）−ゼラチン、ポリ（ビニルピロリドン）−デンプン、ポリ（ビニルピロリドン）−アルギン酸、ポリ（ビニルピロリドン）−アルギン酸、及びこれらの塩；
ポリ（ビニルピロリドン）−カラヤガム、ポリ（ビニルピロリドン）−キサンタンガム、ポリ（ビニルピロリドン）−グアールガム、ポリ（ビニルピロリドン）−アラビアゴム、ポリ（ビニルピロリドン）−トラガカント、ポリ（ビニルピロリドン）−ポリビニルピロリドン誘導体又はコポリマー、ポリ（ビニルピロリドン）−ポリウレタンインターポリマー、ポリ（ビニルピロリドン）／ポリカルバミルポリグリコールエステルインターポリマー、アルキルビニルエーテル／無水マレイン酸コポリマー、アルキルビニルエーテル／マレイン酸コポリマー、アルキルビニルエーテル／マレイン酸コポリマー、及びこれらのアルカリ金属塩又はアミン塩；
少なくとも部分的に架橋結合したアルキルビニルエーテル／無水マレイン酸コポリマー、ビニルアセテートコポリマー、ポリアクリル酸塩、ポリウレタンインターポリマー、キトサン、ポリ（アクリル酸）−ポリ（ビニルアルコール）、ポリ（ビニルアルコール−g−エチレングリコール）コポリマー、セルロース誘導体、ポリ（エチレンオキシド）またはそのコポリマー、ポリ（プロピレンオキシド）又はそのコポリマー、ポリクオタリウム−１１、ポリクオタリウム−３９、ポロキサマー、カルボマー、ゼラチン、デンプン、アルギン酸又はその塩から選ばれる１種又は２種以上が挙げられる。なかでも、溶解性等の観点から、好ましくはプルラン又はその誘導体、寒天、並びにヒドロキシエチルセルロース又はその誘導体から選ばれる１種又は２種以上であり、より好ましくはプルラン又はその誘導体である。
【００１５】
成分（Ａ）の含有量は、貼付用シートを速やかに溶解させる観点から、本体シート中に、乾燥質量で５質量％以上であって、好ましくは１５質量％以上であり、より好ましくは３０質量％以上である。成分（Ａ）の含有量は、生体部位に与える過度な影響を効果的に低減する観点から、本体シート中に、乾燥質量で８０質量％以下であって、好ましくは６５質量％以下であり、より好ましくは５０質量％以下である。また、成分（Ａ）の含有量は、本体シート中に、乾燥質量で５質量％以上８０質量％以下であって、好ましくは１５〜６５質量％であり、より好ましくは３０〜５０質量％である。
【００１６】
本発明で用いる貼付用シートに含まれる本体シートに含有される成分（Ｂ）は、可塑剤である。これにより、貼付用シートに適度な剛性又は柔軟性をもたらし、良好な成形性を付与するとともに、貼付する生体部位への追随性を高めることができる。
かかる成分（Ｂ）としては、具体的には、例えば、ソルビトール、エリスリトール、マンニトール、マルチトール、及びラクチトール等の糖アルコール；グリセリン、ジエチレングリコール、プロピレングリコール、ジプロピレングリコール、サリチル酸グリコール、及びポリエチレングリコール等の多価アルコール；フタル酸エステル、アジピン酸エステル、トリメリット酸エステル、クエン酸エステル、脂肪酸エステル等から選ばれる１種又は２種以上が挙げられる。なかでも、良好な成形性と生体部位への追随性を兼ね備える観点から、多価アルコールが好ましい。
【００１７】
成分（Ｂ）の含有量は、良好な成形性と生体部位への追随性を付与する観点から、本体シート中に、乾燥質量で５質量％以上であって、好ましくは１０質量％以上であり、より好ましくは１５質量％以上である。成分（Ｂ）の含有量は、生体部位に与える過度な影響を効果的に低減する観点から、本体シート中に、乾燥質量で４０質量％以下であって、好ましくは３０質量％以下であり、より好ましくは２５質量％以下である。また、成分（Ｂ）の含有量は、本体シート中に、乾燥質量で５質量％以上４０質量％以下であって、好ましくは１０〜３０質量％であり、より好ましくは１５〜２５質量％である。
【００１８】
本発明で用いる貼付用シートに含まれる本体シートは、成分（Ｃ）の水を含有する。これにより、貼付用シートに適度な水分量を保持させることができ、貼付用シートの優れた溶解性を確保することができる。成分（Ｃ）の含有量は、適度な剛性又は柔軟性を確保する観点から、本体シート中における成分（Ａ）及び成分（Ｂ）の乾燥質量での総量１００質量部に対し、好ましくは１〜２０質量部であり、より好ましくは５〜１５質量部である。
【００１９】
本発明で用いる貼付用シートに含まれる本体シートには、本発明の効果を損なわない限りにおいて、さらにその他の成分として、例えば、甘味料、保存料、殺菌剤、顔料、色素、香料等を適宜含有させることができる。
【００２０】
本発明で用いる貼付用シートに含まれる本体シートは、試験等に要する時間により変動し得るが、２５℃の水１００ｇに０．１ｇ溶解させるのに要する時間が、０．５分以上５分以下であるのが好ましい。これにより、口腔内の所望の生体部位に貼付して試験等を行う間、被検部位識別のための模様を生体部位に有効に残存させることができ、容易に被検部位を決定することが可能となる。かかる本体シートにおいて、２５℃の水１００ｇに０．１ｇ溶解させるのに要する時間は、試験等の間、有効に被検部位識別のための模様を残存させる観点から、好ましくは０．５分以上であり、より好ましくは１分以上であり、さらに好ましくは２分以上である。本体シートにおいて、２５℃の水１００ｇに０．１ｇ溶解させるのに要する時間は、試験等の終了後、生体部位に与える過度な影響を低減する観点から、好ましくは５分以下であり、より好ましくは４分以下であり、さらに好ましくは３分以下である。また、本体シートにおいて、２５℃の水１００ｇに０．１ｇ溶解させるのに要する時間は、好ましくは０．５分以上５分以下であり、好ましくは１〜４分であり、さらに好ましくは２〜３分である。
【００２１】
本発明で用いる貼付用シートに含まれる本体シートの厚みは、貼付用シートを速やかに溶解させる観点から、好ましくは１〜１００μｍであり、より好ましくは４０〜６０μｍである。
【００２２】
本発明で用いる貼付用シートは、少なくとも一部に被検部位識別のための模様が印刷されてなる。これにより、口腔内の所望の生体部位に貼付して試験等を行う際、かかる模様を指標として被検部位を容易に決定することができる。かかる被検部位識別のための模様としては、具体的には、例えば、目盛、線、丸、及び格子から選ばれる１種又は２種以上から構成されてなる模様が挙げられる。なかでも、被検部位を容易に決定する観点から、目盛又は線から構成されてなる模様であるのが好ましい。
また、複数の模様を印刷する場合、一の模様と一の模様との間隔は、目視による被検部位識別を容易にする観点から、好ましくは５〜５０ｍｍであり、より好ましくは１〜１０ｍｍである。
【００２３】
上記模様を印刷する際に用いるインクとしては、生体部位に与える過度な影響を効果的に低減する観点から、可食インクであるのが好ましい。かかる可食インクとしては、具体的には、例えば、着色料；水、エタノール、及びグリセリン等から選ばれる１種又は２種以上の溶媒にガム類などの可食性樹脂と食用色素を混合したインク；水に食用色素と食用油脂と増粘剤を加えて食用乳化剤で乳化したインク；糖類やガム類の水溶液に食用色素とレシチンを加えたインク等から選ばれる１種又は２種以上が挙げられる。
インクの色としては、貼付する生体部位の色と判別可能な色であればよい。なかでも、種々の生体部位の色と判別容易な観点から、暗色であるのが好ましく、黒色、青色、赤色又はこれらを混合した色であるのがより好ましく、黒色であるのがさらに好ましい。
【００２４】
上記模様を印刷する部分は、貼付用シートのいずれの面であってもよく、所望の生体部位に貼付する側の面であってもよく、かかる面とは反対側の面であってもよい。また、一の面の全領域であってもよく、一部の領域であってもよい。すなわち、本発明で用いる貼付用シートが本体シートのみを含む単層構造を有する場合、かかる本体シートにおけるいずれかの面を印刷する部位とすればよい。さらに後述するように、貼付用シートが本体シートと他のシートを含む多層構造を有する場合、そのうちの少なくとも一のシートの面、例えば他のシートとして印刷保持シートを有する場合、かかる印刷保持シートのいずれかの面を印刷する部位としてもよい。印刷方法としては、特に制限されず、シルク印刷、グラビア印刷、スクリーン印刷、インクジェット印刷が挙げられる。
【００２５】
本発明で用いる貼付用シートは、さらに上記模様を印刷するための印刷保持シートを含むのが好ましい。これにより、貼付用シートを所望の生体部位に貼付した際、かかる上記模様の崩壊やにじみの発生を効果的に抑制し、試験等の間、より有効に生体部位に模様を残存させることができる。かかる印刷保持シートは、上記成分（Ｂ）の可塑剤（Ｂ'）、及び成分（Ｄ）の印刷保持成分を含有するのが好ましい。
【００２６】
印刷保持シートにおける成分（Ｂ'）としては、本体シートが含有する成分（Ｂ）と同様のものが挙げられる。印刷保持シートにおける成分（Ｂ'）の含有量は、適度な剛性や柔軟性、及び良好な成形性を確保する観点から、印刷保持シート中に、乾燥質量で好ましくは０．１〜４０質量％であり、より好ましくは２５〜３５質量％である。
【００２７】
印刷保持シートにおける成分（Ｄ）としては、口腔内に適用可能な安全性に優れた素材であればよく、具体的には、例えば、セラック、ステアリン酸、パルミチン酸等の高級脂肪酸；エチルセルロース、セルロースアセテート・ブチレート等の難溶性セルロース；ヒドロキシプロピルセルロースフタレート、酢酸フタル酸セルロース等の腸溶性フィルム剤；セルロースアセテートフタレート、ポリビニルアセテート、エチルセルロース、ポリメチルメタクリレート、メタクリロイルエチルベタイン／メタクリレート共重合体、メタクリル酸共重合体、並びにアミノアルキルメタクリレートから選ばれる１種又は２種以上が挙げられる。なかでも、生体に対する安全性の観点、及び模様の崩壊やにじみの発生を有効に抑制する観点から、セラックが好ましい。
【００２８】
印刷保持シートにおける成分（Ｄ）の含有量は、生体に対する安全性の観点、及び模様の崩壊やにじみの発生を有効に抑制する観点から、印刷保持シート中に、乾燥質量で好ましくは５〜７５質量％であり、より好ましくは１０〜４０質量％である。
【００２９】
印刷保持シートの厚みは、模様の崩壊やにじみの発生を有効に抑制しつつ、貼付用シートの良好な溶解性を確保する観点から、好ましくは０．５〜５．０μｍであり、より好ましくは１〜３μｍである。
【００３０】
口腔内において決定する被検部位としては、舌又は歯に存在する被検部位であるのが好ましく、舌に存在する被検部位であるのがより好ましい。すなわち、本発明で用いる貼付用シートをかかる舌又は歯に貼付し、これらの生体部位において被検部位を決定することができる。例えば、図１の模式図に示すように、貼付用シートａを舌ｂの中半分の位置に貼付し、かかるシートに印刷された被検部位識別のための模様ｃを指標として、舌ｂにおける被検部位ｄを決定する。決定した被検部位ｄには、例えば、特開２００３−３３４０５９号公報に記載の微生物採取装置の採取面を押し当て、被検部位ｄにおける舌苔等の試料を採取することができる。このように、本発明の貼付用シートを用いて被検部位を決定し、試料を採取すれば、試験等を行う度に被検部位にズレが生じるのを有効に防止することができ、試験等の精度を高めることが可能となる。
【００３１】
本発明で用いる貼付用シートは、上記成分（Ａ）、（Ｂ）及び（Ｃ）を各々含有する本体シートＸ及び本体シートＹを含み、本体シートＸを２５℃の水１００ｇに０．１ｇ溶解させるのに要する時間と、本体シートＹを２５℃の水１００ｇに０．１ｇ溶解させるのに要する時間との比（シートＸ溶解時間／シートＹ溶解時間）が０．１以上１以下であり、かつ少なくとも一部に被検部位識別のための模様が印刷されてなるものであってもよい。すなわち、少なくとも本体シートＸ及び本体シートＹを含む多層構造を有する貼付用シートであって、これら本体シートＸと本体シートＹの水への溶解性が異なるものであり、これらの少なくとも一部に被検部位識別のための模様が印刷されてなる。かかる被検部位識別のための模様は、本体シートＸ及び本体シートＹのうち、水への溶解性がより低い方の本体シートに印刷され、かつ水への溶解性がより高い方を所望の生体部位に貼付するのが好ましい。これにより、例えば、かかる貼付用シートを所望の生体部位に貼付した際、本体シートＸ及び本体シートＹのうち、溶解性の高い本体シートの方が先に溶解した後、次いで他方の本体シートを溶解させることが可能となり、他方の本体シートに印刷された被検部位識別のための模様を試験等の間、有効に残存させることができる。
【００３２】
本体シートＸを２５℃の水１００ｇに０．１ｇ溶解させるのに要する時間と、本体シートＹを２５℃の水１００ｇに０．１ｇ溶解させるのに要する時間との比（シートＸ溶解時間／シートＹ溶解時間）は、試験等の時間に則して被検部位識別のための模様を残存させる観点から、０．１以上であって、好ましくは０．２以上であり、１以下であって、好ましくは０．８以下である。
【００３３】
なお、本体シートＸと本体シートＹとの間に、上述の印刷保持シートを介在させてもよい。この場合、本発明で用いる貼付用シートは本体シートＸ、本体シートＹ及び印刷保持シートを含む多層構造を有することとなり、被検部位識別のための模様は、印刷保持シートのいずれかの面に印刷されてなるのが好ましい。
【００３４】
本発明で用いる貼付用シートは、さらに粘着剤を含有する粘着シートを含むのが好ましい。かかる粘着シートを介することによって、貼付用シートを指や器具等に粘着させたまま口腔内に搬送することが容易となり、所望の生体部位に貼付する際の作業性を向上させることができる。かかる粘着シートは、本発明で用いる貼付用シートを所望の生体部位に貼付した後、剥離して試験等を行うのが好ましい。
【００３５】
かかる粘着シートに含有される粘着剤としては、具体的には、例えば、天然ゴム系、合成ゴム系、アクリル系、シリコ−ン系、ポリビニルアルコ−ル系、ウレタン系、ポリアミド系、ポリ酢酸ビニル系、又はその他の合成樹脂からなるアクリル系粘着剤；ポリエーテル系ポリウレタン、ポリエステル系ポリウレタン等のウレタン系粘着剤；オルガノポリシロキサン、アルキルアリールポリシロキサン等のシリコーン系粘着剤；ポリイソブチレン、ブチルゴム、イソプレンゴム、ポリイソブチレン（ＰＩＢ）、スチレン・ブタジエン共重合体（ＳＢＲ）、スチレン−ブタジエン−スチレンブロック共重合（ＳＢＳ）、スチレン・イソプレン・スチレンブロック共重合体（ＳＥＢＳ）、スチレン・エチレン・プロピレン・スチレンブロック共重合体（ＳＥＰＳ）、ポリシロキサン、並びにＳＢＲの水素添加物等のゴム系粘着剤から選ばれる１種又は２種以上が挙げられる。なかでも、生体に対する安全性と粘着性を兼ね備える観点から、アクリル系粘着剤が好ましい。
【００３６】
アクリル系粘着剤としては、より具体的には、例えば２−エチルヘキシルアクリレート、メチルアクリレート、ブチルアクリレート、ヒドロキシエチルアクリレート、２−エチルヘキシルメタアクリレート等に代表される（メタ）アクリル酸誘導体の少なくとも一種を含む共重合体等が挙げられる。
【００３７】
粘着シートには、通常可塑剤（Ｂ）"を用いる。かかる可塑剤（Ｂ）"については特に制限はなく、上記成分（Ｂ）と同様のものを用いてもよく、また例えば、石油系オイル（例えば、パラフィン系プロセスオイル、ナフテン系プロセスオイル、芳香族系プロセスオイル等）、スクワラン、スクワレン、植物系オイル（例えば、オリーブ油、ツバキ油、ひまし油、トール油、ラッカセイ油）、シリコンオイル、二塩基酸エステル（例えば、ジブチルフタレート、ジオクチルフタレート等）、液状ゴム（例えば、ポリブテン、液状イソプレンゴム）、液状脂肪酸エステル類（ミリスチン酸イソプロピル、ラウリン酸ヘキシル、セバシン酸ジエチル、セバシン酸ジイソプロピル）、トリアセチン、クエン酸トリエチル、クロタミトン等を用いてもよい。その中でも、流動パラフィン、液状ポリブテン、ミリスチン酸イソプロピル、セバシン酸ジエチル、ラウリン酸ヘキシルが好ましく、特に、液状ポリブテン、ミリスチン酸イソプロピルおよび流動パラフィンがさらに好ましい。粘着シートにおける可塑剤（Ｂ）"の含有量は、好ましくは１０〜７０質量％であり、より好ましくは１０〜６０質量％であり、さらに好ましくは１０〜５０質量％である。
【００３８】
粘着シートの厚みは、本発明で用いる貼付用シートを貼付する際の作業性を高める観点から、好ましくは１０〜１５０μｍであり、より好ましくは５０〜１００μｍである。
【００３９】
本発明で用いる貼付用シートは、さらに剥離シートを含むのが好ましい。かかる剥離シートが介在することによって、貼付用シートの保存安定性及び貼付する際の作業性を高めるとともに、貼付用シートが所望の生体部位以外の部位に接着したり、又はかかる部位を汚染したりすることを有効に防止することができる。
なお、かかる剥離シートは、本体シートに直接積層してもよく、本体シートＸと本体シートＹとの間に積層してもよく、印刷保持シートに積層してもよく、用途に応じて適宜選択することができる。なかでも、貼付用シートによる所望の生体部位以外の部位への接着や汚染を有効に防止する観点から、貼付用シートの最外層に剥離シートを含むのが好ましい。
【００４０】
かかる剥離シートの材質としては、口腔内に適用可能な安全性に優れたものであれば特に制限されないが、例えば、ヒドロキシエチルセルロースやヒドロキシプロピルセルロース等のセルロース又はその誘導体；
紙、パルプ、絹、及びコットン等の天然繊維や、アセテート、及びレーヨン等の植物原料繊維；
（メタ）アクリル樹脂、アクリル酸エステル樹脂エチルセルロース、酢酸セルロースや酢酸ビニル樹脂等の酢酸繊維、硝酸セルロース、ポリフッ化ビニル、ポリフッ化ビニリデン、三フッ化エチレン樹脂、四フッ化エチレン樹脂、フッ素ゴム、ウレタン系熱可塑性エラストマー、芳香族ポリエステル、ポリエーテルケトン、ポリエーテルイミド、ポリエーテルスルホン、ポリスルホン、アイオノマー樹脂、ポリエチレンテレフタレート、ポリブチレンテレフタレート、ポリカーボネート、ポリアセタール、ポリアミドイミド、ポリアミド（ナイロン６、ナイロン１０、ナイロン１２、ナイロン６,６、ナイロン６,１０、ナイロン６,１１）、ＡＢＳ樹脂、ＡＳ樹脂、ポリスチレン、ポリ塩化ビニリデン、ポリビニルブチラール、ポリビニルアルコール、ポリ酢酸ビニル、ポリ塩化ビニル、アクリロニトリル樹脂、ポリメタクリル酸メチル、ポリ−４−メチルペナテン−１、ポリプロピレン、ポリエチレン（軟質、硬質）、ポリウレタン、ポリイミド樹脂、ケイ素樹脂、アルキド樹脂、エポキシ樹脂、ジアリルフタレート樹脂、不飽和ポリエステル樹脂、アニリン樹脂、メラニン樹脂、ユリア樹脂、フェノール樹脂、ヒドロキシエチルセルロース、カルボキシメチルセルロース、ヒドロキシプロピルメチルセルロース、ヒドロキシプロピルセルロース、メチルセルロース、ポリビニルピロリドン、プルラン、ポリオレフィン樹脂（例えば、ポリエチレン、ポリプロピレン、ポリブテン、ポリイソプレン及びこれらのコポリマー、ポリエステル等の（発砲性）合成樹脂や合成繊維；
リン酸カルシウム、ピロリン酸カルシウム、二酸化チタニウム並びにシリカから選ばれる１種又は２種以上が挙げられる。
【００４１】
剥離シートの形態としては、織布及び不織布の混紡、織布、編布、フィルム、シートが挙げられる。また、シリコンやフッ素等による表面加工、剥離処理、コロナ放電等の表面改質処理を施してもよい。
【００４２】
剥離シートは、さらに必要に応じて、可塑剤、酸化防止剤、着色剤、不透明化剤、半透明化剤、安定化剤等を含有することができる。
【００４３】
剥離シートの厚みは、本発明で用いる貼付用シートの貼付部位への良好な追随性を確保する観点から、好ましくは６０〜１５０μｍであり、より好ましくは８０〜１２０μｍである。
【００４４】
なお、本発明で用いる貼付用シートを製造するにあたり、剥離シートを基材シートとして用いることもでき、かかる基材シートの上に本体シート等を順に積層することができる。
【００４５】
本発明で用いる貼付用シートは、上記本体シートを含み、さらに必要に応じて、印刷保持シート、粘着シート、及び剥離シートから選ばれる１種又は２種以上を含むことができ、本体シートのみを含む単層構造を有していてもよく、本体シートと他のシートを含む多層構造、或いは本体シートＸ及び本体シートＹを含む多層構造を有していてもよい。本発明で用いる貼付用シートの総厚みは、視認性や作業性を高める観点、及び貼付用シートを速やかに溶解させる観点から、好ましくは１μｍ〜1ｍｍであり、より好ましくは１００〜５００μｍである。また、本発明で用いる貼付用シートの大きさは、貼付する生体部位によっても変動し得るが、作業性等の観点から、好ましくは幅３〜２０ｍｍ×１５〜８０ｍｍである。
【００４６】
例えば、本発明で用いる貼付用シートの層構成としては、所望の生体部位に貼付する面から順に示すと、下記態様が挙げられる。
（１−１）本体シートのみ
（１−２）剥離シート（基材シート）＋本体シート
（１−３）本体シート＋印刷保持シート
（２−１）剥離シート（基材シート）＋本体シート＋印刷保持シート
（２−２）本体シート＋印刷保持シート＋剥離シート
（２−３）剥離シート（基材シート）＋本体シート＋印刷保持シート＋剥離シート
（２−４）剥離シート（基材シート）＋本体シート＋印刷保持シート＋剥離シート１＋粘着シート＋剥離シート２
（２−５）剥離シート（基材シート）＋印刷保持シート＋本体シート＋剥離シート１＋粘着シート＋剥離シート２
（３−１）本体シートＸ＋本体シートＹ
（３−２）本体シートＸ＋本体シートＹ＋印刷保持シート＋剥離シート
（３−３）剥離シート（基材シート）＋本体シートＸ＋印刷保持シート＋本体シートＹ＋剥離シート
（３−４）剥離シート（基材シート）＋本体シートＸ＋印刷保持シート＋本体シートＹ＋剥離シート１＋粘着シート＋剥離シート２
【００４７】
本発明の口腔内被検部位決定方法において、例えば、貼付する生体部位を舌とし、口腔内貼付用シートとして上記態様（２−４）のシートを用いる場合、図１の模式図にも示すように、具体的には下記手順にしたがって被検部位を決定することができる。
【００４８】
まず、（２−４）のシート（貼付用シートａ）を舌ｂに貼付する際、剥離シート２を剥がし、指又は器具を粘着シートに接着させた後、貼付用シートａを口腔内に搬送する。次いで、本体シートが唾液等で溶解し、舌ｂの粘膜に付着したことを確認した後、貼付用シートａが舌ｂから剥がれないように、指又は器具を粘着シートに接着させたまま舌ｂからゆっくりと（２−４）の貼付用シートａを外す。被検部位識別のための模様ｃを指標として、舌や歯等の生体部位における所望の被検部位ｄを決定する。
【００４９】
本体シートは、このように、貼付する生体部位を舌とする場合であっても、唾液に暴露した後、速やかに溶解するため、溶け残りの不快感がない。そして、生体部位が舌であれば舌苔、歯であれば着色汚れ等の、被検部位から採取する試料の状態に影響を与えることがない。また、貼付用シート自体が無味無臭であり、刺激性もないことから、被験者の負担を有効に低減することができる。
【００５０】
本発明で用いる貼付用シートは、公知の方法である押出成形法、カレンダー法、プレス法、溶液流涎法、溶液堆積法、フィルムキャスティング法、ダイキャスティング法等を適宜用いて製造することができる。
【実施例】
【００５１】
以下、本発明について、実施例に基づき具体的に説明する。なお、表中に特に示さない限り、各成分の含有量は乾燥質量での質量％を示す。
【００５２】
［製造例１：貼付用シートの製造］
フィルムキャスティング法を用い、下記処方の各シートを有する多層構造（上記態様（２−４）のシート）の貼付用シート（大きさ：８ｃｍ×２ｃｍ、厚み：２８２μｍ）を製造した。なお、基材シートは製造時にのみ使用し、貼付する前に剥離した。
《基材シート》
ポリエチレンテレフタレート製フィルム
《本体シート》
成分（Ａ）：プルラン  乾燥質量で７０質量％
成分（Ｂ）：プロピレングリコール  乾燥質量で２０質量％
成分（Ｃ）：水  成分（Ａ）及び成分（Ｂ）の乾燥質量の総量１００質量部に対して１０質量部
《印刷保持シート》
成分（Ｂ'）：セラック  乾燥質量で９０質量％
成分（Ｄ）：プロピレングリコール  乾燥質量で１０質量％
印刷保持シートの片面に直線から構成される目盛（１ｍｍ間隔）を黒インクで印刷
《剥離シートａ》
ポリエチレンテレフタレート製フィルム
《粘着シート》
アクリル系粘着剤（２−エチルヘキシルアクリレート含有）
《剥離シートｂ》
紙
【００５３】
［実施例１］
図１の模式図に示すように、得られた貼付用シートａを用いて下記手順にしたがって被検部位ｄを決定した。
貼付用シートａの本体シート上に積層されている剥離シート２を剥がし、粘着シートを測定者の右手人差し指に接着させた。評価対象者に舌ｂを突出させ、舌正中に対して舌苔採取部位の反対側の舌正中溝横１−２ｍｍのところに、舌根部から舌尖にかけて貼付用シートを貼付するために、右手人差し指を口腔内に挿入した。挿入後、指に粘着している粘着シートとは反対側の本体シートの表面を評価対象者の舌ｂに接触させた。次いで、本体シートが唾液等の水分で溶解しはじめ、舌ｂに良好に接着したことを確認後、ゆっくりと指を外し、粘着シートを介して剥離シート１を指に付着させた状態で、本体シートから剥離シート１を剥離させた。この際、舌ｂには本体シートが密接に接着された状態となり、印刷保持シートにより印刷された模様（目盛）を目視により容易に確認することができた。そして、舌苔採取するための被検部位ｄを決定し、かかる部位ｄにおいて、舌苔付着量の測定、舌苔採取を行った。
また、他の測定者についても、舌ｂの同様の位置に貼付用シートを貼付し、同じ位置の目盛を指標としてズレが生じることなく被検部位ｄを決定できることを確認した。
【符号の説明】
【００５４】
ａ：本発明の口腔内被検部位決定のための貼付用シート
ｂ：舌
ｃ：被検部位識別のための模様
ｄ：被検部位
【図１】
2015123332.tif 000003